(57)【要約】【課題】隣接する放電セル間での誤放電を防止し、且つ、走査電極とデータ電極との間での書き込み放電を確実に発生させることにより、良好な画像表示が可能なプラズマディスプレイパネルを実現することを目的とする。【解決手段】放電セル１５において、誘電体層３が表示電極５と重なり合うように凹部１６を有し、凹部１６と走査電極６とが重なり合う面積を、凹部１６と維持電極７との重なり合う面積より大きくなるように走査電極６および維持電極７を設ける。以上より、放電の領域は凹部１６に制限されることから、隣接する放電セル１５間での誤放電を防止でき、また、凹部１６と重なり合う部分の走査電極６の面積を大きくしていることから、データ電極１１との間での書き込み放電が確実に発生することとなる。したがって、良好な画像表示が可能なプラズマディスプレイパネルを実現することができる。【選択図】　図１
2004095536.tif 000002
【特許請求の範囲】
【請求項１】
走査電極と維持電極とからなる表示電極を複数形成し、その表示電極を覆って誘電体層を形成した前面板と、データ電極を表示電極に対して直交するように複数形成した背面板とを、内部に放電空間が形成されるように対向配置することにより、表示電極とデータ電極との交差部に放電セルを形成したプラズマディスプレイパネルであって、放電セルにおいて誘電体層が表示電極と重なり合うように凹部を有し、この凹部と走査電極とが重なり合う面積を、凹部と維持電極とが重なり合う面積より大きくなるように構成したプラズマディスプレイパネル。
【請求項２】
凹部の形状を、走査電極と重なり合う部分で拡がった形状とすることで、凹部と走査電極とが重なり合う面積を、凹部と維持電極とが重なり合う面積より大きくなるように構成した請求項１に記載のプラズマディスプレイパネル。
【請求項３】
放電セルにおける凹部の位置を、走査電極側に片寄ったものとすることで、凹部と走査電極とが重なり合う面積を、凹部と維持電極とが重なり合う面積より大きくなるように構成した請求項１に記載のプラズマディスプレイパネル。
【請求項４】
走査電極と維持電極とはそれぞれ透明電極と金属材料のバス電極とを備え、凹部が、走査電極とは少なくともバス電極と重なり合い、維持電極とは透明電極とのみ重なり合うように、走査電極側に片寄っている請求項３に記載のプラズマディスプレイパネル。
【請求項５】
走査電極と維持電極とが、互いに対向する突出部を有する請求項１から４のいずれかに記載のプラズマディスプレイパネル。
【請求項６】
走査電極の突出部を維持電極の突出部より大きくすることで、凹部と走査電極とが重なり合う面積を、凹部と維持電極とが重なり合う面積より大きくなるように構成した請求項５に記載のプラズマディスプレイパネル。
【請求項７】
突出部が、複数に分割された櫛状、または中空形状である請求項５または６に記載のプラズマディスプレイパネル。
【請求項８】
放電空間内に、ＸｅとＮｅおよび／またはＨｅの混合ガスが封入され、Ｘｅ分圧が５〜３０％である請求項１に記載のプラズマディスプレイパネル。
【発明の詳細な説明】
【０００１】
【発明の属する技術分野】
本発明は表示デバイスとして知られているプラズマディスプレイパネルに関するものである。
【０００２】
【従来の技術】
プラズマディスプレイパネル（以下、ＰＤＰと記す）では、ガス放電により紫外線を発生させ、この紫外線で蛍光体を励起して発光させることにより画像表示を行っている。
【０００３】
ＰＤＰには、大別して、駆動的にはＡＣ型とＤＣ型とがあり、放電形式では面放電型と対向放電型とがあるが、高精細化、大画面化および構造の簡素性に伴う製造の簡便性から、現状では、３電極構造の面放電型のＰＤＰが主流である。その構造は、走査電極と維持電極とからなる表示電極を複数有する前面板と、表示電極に対して直交する複数のデータ電極を有する背面板とを対向配置させることにより、表示電極とデータ電極との交差部に放電セルを形成し、且つ放電セル内に蛍光体層を備えたものであり、比較的蛍光体層を厚くすることができることから、蛍光体によるカラー表示に適している（例えば、非特許文献１参照）。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
【非特許文献１】
内池平樹、御子柴茂生共著、「プラズマディスプレイのすべて」　（株）工業調査会、１９９７年５月１日、ｐ７９−ｐ８０
【０００６】
【発明が解決しようとする課題】
上述のＰＤＰに対しては高精細化への要求が高まっており、これに対応するためには放電セルの配列ピッチを狭くする必要があるが、そのような狭ピッチで配列した場合、放電セルにおいては隣り合う放電セル間で誤放電が発生するという問題があり、画像表示に対して悪影響を与えていた。さらに、不灯などの欠陥のない良好な画像表示を行うためには、ＰＤＰの画像表示の際に行われる書き込み動作時において、走査電極とデータ電極との間での書き込み放電を確実に発生させることが必要である。
【０００７】
本発明はこのような現状に鑑みなされたもので、高精細であっても隣接する放電セル間での誤放電を防止し、且つ、走査電極とデータ電極との間での書き込み放電を確実に発生させることにより、良好な画像表示が可能なプラズマディスプレイパネルを実現することを目的とする。
【０００８】
【課題を解決するための手段】
上記の目的を達成するために本発明のプラズマディスプレイパネルは、走査電極と維持電極とからなる表示電極を複数形成し、その表示電極を覆って誘電体層を形成した前面板と、データ電極を表示電極に対して直交するように複数形成した背面板とを、内部に放電空間が形成されるように対向配置することにより、表示電極とデータ電極との交差部に放電セルを形成したプラズマディスプレイパネルであって、放電セルにおいて誘電体層が表示電極と重なり合うように凹部を有し、この凹部と走査電極とが重なり合う面積を、凹部と維持電極とが重なり合う面積より大きくなるように構成したものである。
【０００９】
【発明の実施の形態】
すなわち、本発明の請求項１に記載の発明は、走査電極と維持電極とからなる表示電極を複数形成し、その表示電極を覆って誘電体層を形成した前面板と、データ電極を表示電極に対して直交するように複数形成した背面板とを、内部に放電空間が形成されるように対向配置することにより、表示電極とデータ電極との交差部に放電セルを形成したプラズマディスプレイパネルであって、放電セルにおいて誘電体層が表示電極と重なり合うように凹部を有し、この凹部と走査電極とが重なり合う面積を、凹部と維持電極とが重なり合う面積より大きくなるように構成したプラズマディスプレイパネルである。
【００１０】
また、請求項２に記載の発明は、請求項１に記載の発明において、凹部の形状を、走査電極と重なり合う部分で拡がった形状とすることで、凹部と走査電極とが重なり合う面積を、凹部と維持電極とが重なり合う面積より大きくなるように構成したものである。
【００１１】
また、請求項３に記載の発明は、請求項１に記載の発明において、放電セルにおける凹部の位置を、走査電極側に片寄ったものとすることで、凹部と走査電極とが重なり合う面積を、凹部と維持電極とが重なり合う面積より大きくなるように構成したものである。
【００１２】
また、請求項４に記載の発明は、請求項３に記載の発明において、走査電極と維持電極とはそれぞれ透明電極と金属材料のバス電極とを備え、凹部が、走査電極とは少なくともバス電極と重なり合い、維持電極とは透明電極とのみ重なり合うように、走査電極側に片寄っているものである。
【００１３】
また、請求項５に記載の発明は、請求項１から４のいずれかに記載の発明において、走査電極と維持電極とが、互いに対向する突出部を有するものである。
【００１４】
また、請求項６に記載の発明は、請求項５に記載の発明において、走査電極の突出部を維持電極の突出部より大きくすることで、凹部と走査電極とが重なり合う面積を、凹部と維持電極とが重なり合う面積より大きくなるように構成したものである。
【００１５】
また、請求項７に記載の発明は、請求項５または６に記載の発明において、突出部が、複数に分割された櫛状、または中空形状というものである。
【００１６】
また、請求項８に記載の発明は、請求項１に記載の発明において、放電空間内に、ＸｅとＮｅおよび／またはＨｅの混合ガスが封入され、Ｘｅ分圧が５〜３０％というものである。
【００１７】
以下、本発明のいくつかの実施の形態について説明するが、本発明の実施の形態はこれに制限されるものではない。
【００１８】
（実施の形態１）
本発明の一実施の形態によるＰＤＰについて、図を用いて以下に説明する。
【００１９】
図１は、本発明の一実施の形態によるＰＤＰの概略構成を示す断面斜視図である。前面板１は、例えばガラスのような透明且つ絶縁性の基板２上に誘電体層３およびＭｇＯ蒸着膜による保護膜４で覆われた複数の表示電極５が付設された構造となっている。ここで、表示電極５は、走査電極６と維持電極７とが対となったもので走査電極６と維持電極７とは放電ギャップＭＧを隔てて対向している。そして、走査電極６は、例えば、透明電極６ａとその上に形成したＣｒ／Ｃｕ／ＣｒやＡｇ等の金属材料による不透明なバス電極６ｂとからなる構成であり、また同様に、維持電極７は、例えば、透明電極７ａとその上に形成したＣｒ／Ｃｕ／ＣｒやＡｇ等の金属材料による不透明なバス電極７ｂとからなる構成である。
【００２０】
また、背面板８は、例えばガラスのような絶縁性の基板９上に誘電体層１０で覆われた複数のデータ電極１１が付設され、誘電体層１０上のデータ電極１１間にはデータ電極１１と平行してストライプ状の隔壁１２が設けられており、誘電体層１０の表面と隔壁１２の側面にかけてストライプ状に蛍光体層１３が設けられた構造となっている。そして前面板１と背面板８とは、走査電極６および維持電極７とデータ電極１１とが直交するように放電空間１４を挟んで対向して配置されている。そして放電空間１４には、放電ガスとして、ヘリウム、ネオン、アルゴン、キセノンのうち、少なくとも１種類の希ガスが封入されており、隔壁１２によって仕切られデータ電極１１と走査電極６および維持電極７との交差部の放電空間１４が放電セル１５として動作する。
【００２１】
ここで、誘電体層３は、放電セル１５毎に、表示電極５とその一部が重なり合う凹部１６を有し、そして本実施の形態１においては、凹部１６が走査電極６と重なり合う部分で拡がった形状とすることで、この凹部１６と走査電極６とが重なり合う面積を、凹部１６と維持電極７とが重なり合う面積より大きくなるように構成している。図２（ａ）に放電セル１５側から見た前面板１の拡大図を、また図２（ａ）のＸ−Ｘ矢視断面図を図２（ｂ）に示す。なお、隔壁１２が前面板１に当接する位置を図２（ａ）中において点線で示している。
【００２２】
図２に示すように、放電セル１５において、凹部１６とそれ以外の領域とでは、誘電体層３の厚みが異なることから、コンデンサーとしての静電容量が異なり、また、放電電圧も異なる。したがって、凹部１６では電荷がたまり易く、且つ放電電圧が低いことから、放電の発生、維持が容易となり、それ以外の領域では電荷はたまり難く、且つ放電電圧が高いことから、放電の発生、維持が抑制される。以上により、図３（ａ）に示すように放電セル１５においては、放電１７の領域は、凹部１６に制限され、図３（ｂ）に示すような凹部１６がない構成での放電１７のように、放電領域が拡がってしまうことが抑制されるため、高精細化の際、隣り合う放電セル１５間で放電が発生してしまうといういわゆる異常放電を抑制することが可能となる。ここで、図３は図２（ａ）でのＸ−Ｘ矢視断面の概略図であり、保護膜４は省略して示している。
【００２３】
加えて、本実施の形態１では、走査電極６と重なり合う部分の凹部１６の開口面の形状を拡げたものとすることで、凹部１６と走査電極６との重なり合う面積が、凹部１６と維持電極７とが重なり合う面積より大きくなるようにしており、このことにより、ＰＤＰの画像表示の際に行われる書き込み動作時において、走査電極６とデータ電極１１との間での書き込み放電を確実に発生させることができるようになり、画像表示の品質を向上させることができる。
【００２４】
また、凹部１６により放電の領域を隔壁１２よりも内側に規制できることから、隔壁１２付近での放電を抑制することができる。その結果、隔壁１２が放電により帯電しイオン衝撃によりエッチングされ、エッチングされた隔壁１２材料が蛍光体層１３に降り積もることにより蛍光体層１３の特性劣化が生じてしまうという問題を抑制することができる。
【００２５】
また、凹部１６の側面にも保護膜４であるＭｇＯが形成された構成となることから、電子放出面の面積が増加する効果が得られることとなり、放電セル１５当たりの電子の放出量を多くすることが可能となる。
【００２６】
ここで、凹部１６と走査電極６とが重なり合う面積が、凹部１６と維持電極７とが重なり合う面積より大きくなるようにするための他の実施の形態としては、図２に示す構成以外に、例えば図４に示すような、放電セル１５での凹部１６の位置を走査電極６側に片寄ったものとする構成や、図５に示すような、凹部１６の形状を、走査電極６と重なり合う部分で拡がった形状とするとともに、放電セル１５での凹部１６の位置を走査電極６側に片寄ったものとする構成が挙げられる。
【００２７】
なお、凹部１６の位置が、走査電極６側に片寄った構成においては、図６に示すように、凹部１６が、走査電極６とは少なくともバス電極６ｂと重なり合い、維持電極７とは透明電極７ａとのみ重なり合う構成とすることにより、透明電極６ａよりバス電極６ｂの方が電気抵抗が小さく良導電性を示すことから、走査電極６上の誘電体層３には電荷がさらにたまりやすくなるため、書き込み期間での書き込み放電がさらに確実に発生することとなる。その結果、隣り合う放電セル１５間での誤放電がさらに抑制され、画像表示の品質をさらに向上させることができる。なお、この場合においても、凹部１６の開口の形状として、走査電極６と重なり合う部分を拡げたものとすることで、上述の効果をさらに増すことができる。
【００２８】
また、図７、図８に示すように、放電セル１５において、走査電極６と維持電極７とが互いに放電ギャップＭＧを隔てて対向するように突出部６ｃ、７ｃをそれぞれ有し、凹部１６がこの対向する突出部６ｃ、７ｃと重なり合うように構成し、且つ、走査電極６と重なり合う部分の凹部１６の開口面の形状が拡がったものとすることや、図９、図１０に示すように、走査電極６と維持電極７とが、同様に、互いに放電ギャップＭＧを隔てて対向するように突出部６ｃ、７ｃをそれぞれ有し、凹部１６の放電セル１５での位置を走査電極６側に片寄ったものとすることにより、凹部１６が走査電極６との重なり合う面積を、維持電極７と重なり合う面積より大きくなるようにした構成によっても、上述と同様の効果が得られる。そしてこの場合には、放電セル１５内での放電の領域が突出部６ｃ、７ｃによりさらに規制されることとなるため、隣接する放電セル１５間での異常放電や隔壁１２近傍での放電をさらに確実に抑制することが可能となる。
【００２９】
ここで、図７、図９に示すように、突出部分６ｃ、７ｃを透明電極６ａ、７ａで構成すると、蛍光体層１３からの発光を効率良く前面板１を透過させることができる。また、図８、図１０に示すように、突出部分６ｃ、７ｃをバス電極６ｂ、７ｂのみで構成し、透明電極６ａ、７ａをなくす構成にすると、その形成のためのコストを低減することができるとともに、バス電極６ｂ、７ｂは金属材料で透明電極６ａ、７ａより良導電性であることから、凹部１６に対して電荷がたまりやすくなるため、放電セル１５内での放電の領域の規制がさらに確実になる。
【００３０】
なお、突出部６ｃ、７ｃとして、例えば図１１に示すように、複数に分割した櫛状としたり、また、図１２に示すように、中をくりぬいた中空形状とするなど、放電ギャップＭＧの距離を変化させずに突出部６ｃ、７ｃの面積を減らすことで、特に、突出部６ｃ、７ｃをバス電極６ｂ、７ｂにより構成した場合に蛍光体層１３からの発光の透過性を補うことが可能となり、また、電極面積が減少することから、放電時の電流量の抑制、すなわち消費電力の抑制の効果を得ることができる。なお、図１１、図１２は、突出部６ｃ、７ｃをバス電極６ｂ、７ｂで構成した例である。
【００３１】
（実施の形態２）
図１３（ａ）は、本発明の一実施の形態によるＰＤＰの放電セル１５から見た前面板１の拡大図であり、隔壁１２が前面板１に当接する位置を点線で示している。また図１３（ｂ）は、図１３（ａ）におけるＸ−Ｘ矢視断面図である。
【００３２】
本実施の形態２では、放電セル１５において、走査電極６と維持電極７とが互いに放電ギャップＭＧを隔てて対向するように突出部６ｃ、７ｃをそれぞれ有し、凹部１６がこの対向する突出部６ｃ、７ｃと重なり合うように構成され、且つ、突出部６ｃの面積を突出部７ｃの面積より大きくすることで、凹部１６と走査電極６とが重なり合う面積を、凹部１６と維持電極７とが重なり合う面積より大きくなるように構成したものであり、この構成による作用および効果は実施の形態１と同様である。
【００３３】
すなわち、まず図１４に示すように、放電１７の発生、維持は、凹部１６の領域に制限されることとなり、高精細化の際、隣り合う放電セル１５間で放電が発生してしまうといういわゆる異常放電の発生が抑制されることとなる。ここで、図１４は図１３でのＸ−Ｘ矢視断面の概略図であり、保護膜４は省略して説明している。
【００３４】
また、凹部１６と重なり合う突出部６ｃ、７ｃに対して、突出部６ｃの面積を突出部７ｃの面積より大きくすることで、凹部１６と走査電極６とが重なり合う面積が、凹部１６と維持電極７とが重なり合う面積より大きくなるようにしており、このことから、ＰＤＰの画像表示の際に行われる書き込み動作時において、走査電極６とデータ電極１１との間での書き込み放電を確実に発生させることができるようになり、画像表示の品質を向上させることができる。
【００３５】
また、凹部１６により放電の領域を隔壁１２よりも内側に規制できることから、隔壁１２が放電によりエッチングされ、エッチングされた隔壁１２材料が蛍光体層１３に降り積もることにより蛍光体層１３の特性劣化が生じてしまうという問題を抑制することができる。
【００３６】
また、凹部１６の側面にも保護膜４であるＭｇＯが形成された構成となることから、放電セル１５当たりの電子の放出量を多くすることが可能となる。
【００３７】
また、突出部分６ｃ、７ｃを、図１３に示したように透明電極６ａ、７ａで構成すると、蛍光体層１４からの発光を効率良く前面板１を透過させることができ、図１５に示すようにバス電極６ｂ、７ｂのみで構成し、透明電極６ａ、７ａをなくす構成とすると、その形成のためのコストを低減することができるとともに、バス電極６ｂ、７ｂは金属材料で透明電極６ａ、７ａより良導電性であることから、凹部１６に対して電荷がたまりやすくなるため、放電セル１５内での放電の領域の規制がさらに確実になる。
【００３８】
ここで、突出部６ｃ、７ｃとして、例えば図１６に示すように、複数に分割した櫛状としたり、また、図１７に示すように、中をくりぬいた中空形状とするなど、放電ギャップＭＧの距離を変化させずに突出部６ｃ、７ｃの面積を減らすことで、特に、突出部６ｃ、７ｃをバス電極６ｂ、７ｂにより構成した場合に蛍光体層１４からの発光の透過性を補うことが可能となり、また、電極面積が減少することから、放電時の電流量の抑制、すなわち消費電力の抑制の効果を得ることができる。なお、図１６、図１７は、突出部６ｃ、７ｃをバス電極６ｂ、７ｂで構成した例である。
【００３９】
また、以上の構成において、図１８に示すように、凹部１６の形状を例えば走査電極６側が拡がり維持電極７側で狭くなった形状とすることや、また図１９に示すように、凹部１６を走査電極６側に片寄らせて形成することで、凹部１６と走査電極６とが重なり合う面積を凹部１６と維持電極７とが重なり合う面積よりさらに大きくなるように構成すると、なお好ましい。
【００４０】
また、凹部１６と突出部６ｃとの重なり合う面積が、凹部１６と突出部７ｃとの重なり合う面積より大きくなるように、突出部６ｃの面積を突出部７ｃの面積を大きくする、他の実施の形態としては、例えば図２０に示すように、突出部６ｃとして、突出部７ｃと幅は同じであるが、その突出量を大きくする構成を挙げることができ、この構成によっても、同様の効果を得ることが可能である。
【００４１】
ここで、プラズマディスプレイパネルにおいて高効率化を達成するためには、放電ガス中のＸｅ分圧を上昇させる方法が一般的に知られている。例えば、Ｘｅ分圧を５〜３０％とした、Ｎｅおよび／またはＨｅとの混合ガスを放電ガスとして用いる。しかしながら、Ｘｅ分圧を上昇させると、放電電圧が上昇してしまうという問題が生じると共に、紫外線の発生量が多くなり、容易に輝度飽和となってしまうという問題が生じる。そのために従来では、誘電体層３の膜厚を厚くし誘電体層３の容量を小さくし、一回のパルスで形成される電荷を低下させるという対策が講じられているが、この場合、誘電体層３の膜厚の増加に伴い誘電体層３の透過率が低下することでの効率の低下という問題が生じる。また、誘電体層３の厚みが増加すれば放電電圧が増加してしまう問題も生じる。
【００４２】
しかしながら本発明によれば、凹部１６および表示電極５の形状、サイズを適当に選択することで放電領域を制限することができ、それにより放電時に流れる電流量を任意に制限することができるので、高Ｘｅ分圧で発生する輝度飽和を防止することが可能となる。つまり、本発明によれば、高Ｘｅ分圧のＰＤＰにおいて必要な放電時の放電電流の制御を、回路や、駆動方法を変えることなく、誘電体のみで行うことが可能となる。
【００４３】
【発明の効果】
以上述べてきたように、本発明によれば、高精細であっても隣接する放電セル間での誤放電を防止でき、且つ、走査電極とデータ電極との間での書き込み放電を確実に発生させることができることから、良好な画像表示が可能なプラズマディスプレイパネルを実現することができる。
【図面の簡単な説明】
【図１】本発明の一実施の形態によるプラズマディスプレイパネルの概略構成を示す断面斜視図
【図２】本発明の一実施の形態によるプラズマディスプレイパネルの前面板の部分拡大図
【図３】放電の状態を示す図
【図４】本発明の一実施の形態によるプラズマディスプレイパネルにおける凹部の形態を示す図
【図５】同じく、本発明の一実施の形態によるプラズマディスプレイパネルにおける凹部の形態を示す図
【図６】本発明の一実施の形態によるプラズマディスプレイパネルの前面板の部分拡大図
【図７】同じく、本発明の一実施の形態によるプラズマディスプレイパネルの前面板の部分拡大図
【図８】同じく、本発明の一実施の形態によるプラズマディスプレイパネルの前面板の部分拡大図
【図９】同じく、本発明の一実施の形態によるプラズマディスプレイパネルの前面板の部分拡大図
【図１０】同じく、本発明の一実施の形態によるプラズマディスプレイパネルの前面板の部分拡大図
【図１１】本発明の一実施の形態によるプラズマディスプレイパネルにおける表示電極の形態を示す図
【図１２】同じく、本発明の一実施の形態によるプラズマディスプレイパネルにおける表示電極の形態を示す図
【図１３】本発明の一実施の形態によるプラズマディスプレイパネルの前面板の部分拡大図
【図１４】放電の状態を示す図
【図１５】本発明の一実施の形態によるプラズマディスプレイパネルの前面板の部分拡大図
【図１６】本発明の一実施の形態によるプラズマディスプレイパネルにおける表示電極の形態を示す図
【図１７】同じく、本発明の一実施の形態によるプラズマディスプレイパネルにおける表示電極の形態を示す図
【図１８】本発明の一実施の形態によるプラズマディスプレイパネルにおける凹部の形態を示す図
【図１９】同じく、本発明の一実施の形態によるプラズマディスプレイパネルにおける凹部の形態を示す図
【図２０】本発明の一実施の形態によるプラズマディスプレイパネルの前面板の部分拡大図
【符号の説明】
１　前面板
３　誘電体層
５　表示電極
６　走査電極
６ａ　透明電極
６ｂ　バス電極
６ｃ　突出部
７　維持電極
７ａ　透明電極
７ｂ　バス電極
７ｃ　突出部
８　背面板
１１　データ電極
１２　隔壁
１３　蛍光体層
１４　放電空間
１５　放電セル
１６　凹部
【図１】
2004095536.tif 000003
【図２】
2004095536.tif 000004
【図３】
2004095536.tif 000005
【図４】
2004095536.tif 000006
【図５】
2004095536.tif 000007
【図６】
2004095536.tif 000008
【図７】
2004095536.tif 000009
【図８】
2004095536.tif 000010
【図９】
2004095536.tif 000011
【図１０】
2004095536.tif 000012
【図１１】
2004095536.tif 000013
【図１２】
2004095536.tif 000014
【図１３】
2004095536.tif 000015
【図１４】
2004095536.tif 000016
【図１５】
2004095536.tif 000017
【図１６】
2004095536.tif 000018
【図１７】
2004095536.tif 000019
【図１８】
2004095536.tif 000020
【図１９】
2004095536.tif 000021
【図２０】
2004095536.tif 000022